(57)【要約】【課題】段積み状態での積ずれを確実に抑制でき、商品を取り出す際における商品の傷付きが防止され、ＰＯＰとしての訴求機能も備えた厚紙製トレイを提供する。【解決手段】底壁１の周囲に各一対の側壁２及び端壁３が連設され、一対の端壁３の上端から延出された桟板７が内側へ折り曲げられ、桟板７の両側端部が側壁２に連結されて組立形状が維持される厚紙製トレイにおいて、前記一対の桟板７に、先端から端壁３との境界へかけて、それぞれ２本の切目線１４を間隔をあけて入れ、２本の切目線１４の間の部分を切起部１５とし、切目線１４より外側の部分をコーナー桟部１６とする。段積み時には、下段側のトレイの切目線１４の切断に伴い切起部１５を引き起こし、対向する切起部１５により上段側のトレイを挟んで積ずれを抑制する。また、最上段のトレイの切起部１５を折り曲げてフェイスプレート２５及び広告パネル２６を形成する。【選択図】図７
2018002254.tif 000002
【特許請求の範囲】
【請求項１】
底壁(1)の周囲に各一対の側壁(2)及び端壁(3)が連設され、一対の端壁(3)の上端から延出された桟板(7)が内側へ折り曲げられ、桟板(7)の両側端部が側壁(2)に連結されて組立形状が維持される厚紙製トレイにおいて、
前記一対の桟板(7)に、先端から端壁(3)との境界へかけて、それぞれ２本の切目線(14)が間隔をあけて入れられ、桟板(7)の２本の切目線(14)の間の部分が切起部(15)とされ、切目線(14)より外側の部分がコーナー桟部(16)とされており、
段積み時には、下段側のトレイの桟板(7)に入れられた切目線(14)の切断に伴い、両側のコーナー桟部(16)から切起部(15)を引き起こし、対向する切起部(15)により上段側のトレイを挟んで積ずれを抑制することを特徴とする厚紙製トレイ。
【請求項２】
前記端壁(3)に、桟板(7)の切目線(14)から下方へ延びる切目線(17)とその下端間に延びる谷折線(18)とで区画されて、桟板(7)の切起部(15)に連なる折曲部(19)が形成され、桟板(7)のコーナー桟部(16)と端壁(3)の境界部分に、切目線(14,17)に臨んで内方向へ突出する係合凸部(20)が対向して形成されており、
陳列時には、前方に位置する桟板(7)の切目線(14)と端壁(3)の切目線(17)を切断し、谷折線(18)に沿って折曲部(19)を前方へ折り曲げ、折曲部(19)から切起部(15)を上後方へ折り返し、切起部(15)の先端両側部を係合凸部(20)に係合させると、フェイスプレート(25)となる切起部(15)が前方へ突き出して傾斜した状態に保持されることを特徴とする請求項１に記載の厚紙製トレイ。
【請求項３】
前記桟板(7)の切起部(15)に、両側の切目線(14)から内方向へ山折線(21)が入れられ、切起部(15)の山折線(21)の内端間に、幅方向の中間部が端壁(3)との境界側へ向かう切目線(22)が入れられて、その内側部分が起立片(23)とされており、
陳列時には、後方に位置する桟板(7)の切目線(14)を切断して、切起部(15)を上方へ引き起こすと共に、切起部(15)の切目線(22)を切断して、切起部(15)の山折線(21)より先端側部分を、山折線(21)に沿って前下方へ折り曲げると、起立片(23)が上方へ突出し、切起部(15)の山折線(21)より先端側部分及び起立片(23)が広告パネル(26)となって、前方から見えるように後部で立ち上がることを特徴とする請求項１又は２に記載の厚紙製トレイ。
【発明の詳細な説明】
【技術分野】
【０００１】
この発明は、段ボールや板紙等の厚紙を材料として組み立てられ、青果物等の商品の配送や小売店での陳列に使用されるトレイに関するものである。
【背景技術】
【０００２】
青果物等の運搬や保管に使用される段ボール製のトレイとして、下記特許文献１には、図８に示すようなものが記載されている。
【０００３】
このトレイは、底壁５１の周囲に各一対の側壁５２及び端壁５３が連設され、側壁５２は段ボールが重なる多重構造であり、端壁５３の上端に桟板５４が連設され、組み立てに際し、端壁５３から桟板５４を内側へ折り曲げ、桟板５４の両端から延出された差込片５５を側壁５２の頂部の差込穴５６に差し込んで組立形状が維持されるものである。
【０００４】
また、このトレイには、側壁５２の両端寄りに係止突起５７が設けられ、底壁５１と側壁５２の稜部の両端寄りに係止穴５８が設けられている。
【０００５】
このようなトレイを複数個積み上げて段積み状態とする際には、下段側のトレイの係止突起５７を上段側のトレイの係止穴５８に係合させて、積ずれを防止する。
【先行技術文献】
【特許文献】
【０００６】
【特許文献１】特開２００８−１１４８８８号公報
【発明の概要】
【発明が解決しようとする課題】
【０００７】
しかしながら、上記のようなトレイでは、積み上げに際し、係止突起５７が潰れると、積ずれ防止効果が得られなくなり、段積み状態が崩れる恐れがあるほか、商品を収納して店頭に陳列した状態で、トレイの内部から商品を取り出す際、商品が桟板の端縁に当たって傷付く恐れがある。
【０００８】
また、商品の特徴や価値を訴求する機能も備えておらず、どのようなＰＯＰを付すかは小売店任せとなっているのが現状である。
【０００９】
そこで、この発明は、段積み状態での積ずれを確実に抑制でき、商品を取り出す際における商品の傷付きが防止され、ＰＯＰとしての訴求機能も備えた厚紙製トレイを提供しようとするものである。
【課題を解決するための手段】
【００１０】
上記のような課題を解決するため、この発明は、底壁の周囲に各一対の側壁及び端壁が連設され、一対の端壁の上端から延出された桟板が内側へ折り曲げられ、桟板の両側端部が側壁に連結されて組立形状が維持される厚紙製トレイにおいて、
前記一対の桟板に、先端から端壁との境界へかけて、それぞれ２本の切目線が間隔をあけて入れられ、桟板の２本の切目線の間の部分が切起部とされ、切目線より外側の部分がコーナー桟部とされており、
段積み時には、下段側のトレイの桟板に入れられた切目線の切断に伴い、両側のコーナー桟部から切起部を引き起こし、対向する切起部により上段側のトレイを挟んで積ずれを抑制するものとしたのである。
【００１１】
また、前記端壁に、桟板の切目線から下方へ延びる切目線とその下端間に延びる谷折線とで区画されて、桟板の切起部に連なる折曲部が形成され、桟板のコーナー桟部と端壁の境界部分に、切目線に臨んで内方向へ突出する係合凸部が対向して形成されており、
陳列時には、前方に位置する桟板の切目線と端壁の切目線を切断し、谷折線に沿って折曲部を前方へ折り曲げ、折曲部から切起部を上後方へ折り返し、切起部の先端両側部を係合凸部に係合させると、フェイスプレートとなる切起部が前方へ突き出して傾斜した状態に保持されるものとしたのである。
【００１２】
また、前記桟板の切起部に、両側の切目線から内方向へ山折線が入れられ、切起部の山折線の内端間に、幅方向の中間部が端壁との境界側へ向かう切目線が入れられて、その内側部分が起立片とされており、
陳列時には、後方に位置する桟板の切目線を切断して、切起部を上方へ引き起こすと共に、切起部の切目線を切断して、切起部の山折線より先端側部分を、山折線に沿って前下方へ折り曲げると、起立片が上方へ突出し、切起部の山折線より先端側部分及び起立片が広告パネルとなって、前方から見えるように後部で立ち上がるものとしたのである。
【発明の効果】
【００１３】
この発明に係る厚紙製トレイでは、段積みする際、下段側のトレイの桟板の切目線を切断し、引き起こした対向する切起部で上段側のトレイを挟むと、切起部が反発により上段側のトレイの端壁に当接して、下段側のトレイに対する上段側のトレイの積ずれが抑制されるので、段積み状態の崩れを防止することができる。
【００１４】
そして、このような段積み状態においても、コーナー桟部が側壁に連結されて残存しているので、トレイの保形性が損なわれることがない。
【００１５】
また、陳列時に前方に位置する桟板及び端壁の切目線を切断し、折曲部と切起部を折り曲げてフェイスプレートを形成すると、桟板が切起部の部分で切り抜かれた状態となるので、取り出そうとする商品の傷付きが防止され、前方へ突き出して傾斜した状態に保持されたフェイスプレートがＰＯＰとして優れた訴求効果を発揮するものとなる。
【００１６】
また、陳列時に後方に位置する桟板の切目線を切断し、切起部を折り曲げて広告パネルを形成すると、前方のフェイスプレートの場合と同様、桟板が切起部の部分で切り抜かれた状態となるので、取り出そうとする商品の傷付きが防止され、後方で起立した広告パネルがＰＯＰとして優れた訴求効果を発揮するものとなる。
【図面の簡単な説明】
【００１７】
【図１】この発明の実施形態に係る厚紙製トレイのブランクを示す図
【図２】同上の組立状態を示す斜視図
【図３】同上の（ａ）下段側となるトレイの桟板から切起部を引き起こした状態を示す斜視図、（ｂ）トレイを積み重ねた段積み状態を示す斜視図
【図４】同上のトレイの（ａ）前方に位置する桟板から切起部を引き起こした状態を示す部分斜視図、（ｂ）端壁の折曲部を前方へ折り曲げた状態を示す部分斜視図、（ｃ）フェイスプレートを形成した状態を示す部分斜視図
【図５】同上のトレイの（ａ）後方に位置する桟板から切起部を引き起こした状態を示す部分斜視図、（ｂ）切起部の山折線より先端側部分を前方へを折り曲げた状態を示す部分斜視図、（ｃ）広告パネルを形成した状態を示す部分斜視図
【図６】同上のトレイの陳列形態を示す斜視図
【図７】同上のトレイの陳列形態での段積み状態を示す斜視図
【図８】特許文献１に記載の厚紙製トレイの組立状態を示す斜視図
【発明を実施するための形態】
【００１８】
以下、この発明の実施形態を添付図面に基づいて説明する。
【００１９】
このトレイは、図１に示すような段ボールのブランクから形成される。このブランクでは、長方形の底壁１の周囲各辺のうち、対向する長辺に側壁２となる部分が連設され、対向する短辺に端壁３が連設されている。側壁２となる部分は、底壁１に順次連なる外側板４、頂板５及び内側板６から構成され、端壁３の先端側には桟板７が連設されている。
【００２０】
内側板６の両側端には折込片８が連設され、内側板６と折込片８の境界の罫線には、段ボールの表面側が窪む谷折りが可能となるように、切目が入られている。端壁３の両側端には折込片９が連設され、折込片９は、組立時に後述する差込片１０を回避するため、部分的に切り欠かれている。
【００２１】
桟板７の両側端には、折目線を介して差込片１０が突設され、頂板５の両端寄り部分には、組立時に差込片１０が差し込まれる差込穴１１が穿設されている。差込穴１１は、外側板４へ切れ込んでいる。
【００２２】
外側板４の長さ方向中間部には、頂板５及び内側板６への切込により係止片１２が突設され、底壁１の外側板４との境界近傍から外側板４へかけて、その中間部分には係止片１２に対応する係止穴１３が穿設されている。
【００２３】
桟板７には、先端から端壁３との境界へかけて、２本の切目線１４が間隔をあけて入れられている。そして、桟板７の２本の切目線１４の間の部分が切起部１５とされ、切目線１４より外側の部分がコーナー桟部１６とされている。切目線１４は、引裂方向へ延びる切目と、これに対して傾斜した切目とが交互に断続するジッパー型とされている。
【００２４】
また、陳列時に前方（図１では左側）に位置する端壁３には、桟板７の２本の切目線１４から延長されたジッパー型の切目線１７が底壁１側へ向かって中間部まで入れられ、切目線１７の終端間に谷折線１８が入れられている。谷折線１８は、谷折りを可能とするため、切目を入れた罫線とされている。そして、２本の切目線１７と谷折線１８で区画された部分は、切起部１５に連なる折曲部１９とされている。
【００２５】
桟板７の両側のコーナー桟部１６と端壁３の境界部分には、切起部１５と折曲部１９の境界部分の両側へ食い込むように、切目線１４，１７に臨んで内方向へ突出する係合凸部２０が対向して形成されている。
【００２６】
また、陳列時に後方（図１では右側）に位置する桟板７の切起部１５には、両側の切目線１４から内方向へ山折線２１が入れられ、切起部１５の両側の山折線２１の内端間に、中間部が端壁３との境界へ向かうように切目が断続する切目線２２が入れられて、切目線２２の内側の凸状部分が起立片２３とされている。
【００２７】
また、この切起部１５の先端には、後述するように、山折線２１に沿った折り曲げの反発による戻りを抑制するため、係合凸部２４が形成されている。
【００２８】
そして、後述するように、陳列時に前方に位置する桟板７の切起部１５は、フェイスプレート２５となり、陳列時に後方に位置する桟板７の切起部１５は、山折線２１より先端側部分及び起立片２３が広告パネル２６となるため、これらの表面には、商品のキャッチコピー等が印刷されている。また、フェイスプレート２５となる切起部１５の先端縁は、装飾効果を考慮して弧状に膨出した形状とされている。
【００２９】
上記のようなブランクを使用時に組み立てるには、図２に示すように、底壁１から一対の側壁２を起立させると共に、端壁３から折込片９を折り曲げて、底壁１から一対の端壁３を起立させ、内側板６から折込片８を折り曲げて、端壁３の内面に折込片８を沿わせ、頂板５を内側へ、内側板６を下方へ順次折り曲げることにより、外側板４と内側板６の間に折込片９を挟み込み、トレイ内に商品を収納する。
【００３０】
続いて、一対の端壁３から桟板７を内側へ折り曲げ、桟板７の両側端の差込片１０を下方へ折り曲げて、差込穴１１に差し込むと、トレイが組立状態に保形される。
【００３１】
このように組み立てたトレイを、商品の運搬や保管に際して、段積み状態とする場合には、下段側となるトレイにおいて、図３（ａ）に示すように、一対の桟板７に入れられた各２本の切目線１４の切断に伴い、桟板７の両側のコーナー桟部１６から切起部１５を上方へ引き起こす。
【００３２】
そして、図３（ｂ）に示すように、上方へ引き起こした対向する切起部１５で上段側のトレイを挟み込み、下段側トレイの係止片１２を上段側トレイの係止穴１３に係合させ、下段側トレイに上段側トレイを積み重ねる。
【００３３】
この段積み状態では、下段側トレイの切起部１５が反発により上段側のトレイの端壁３に当接して、下段側のトレイに対する上段側のトレイの積ずれが抑制されるので、段積み状態の崩れを防止することができる。また、コーナー桟部１６が側壁２に連結された状態で残存するので、トレイの保形性が損なわれることもない。
【００３４】
一方、このトレイを、小売店の店頭で段積み状態で陳列する際には、まず、最上段とするトレイにおいて、図４（ａ）に示すように、前方に位置する桟板７の２本の切目線１４を切断して、両側のコーナー桟部１６から切起部１５を上方へ引き起こす。
【００３５】
次に、図４（ｂ）に示すように、このトレイの前方に位置する端壁３の２本の切目線１７を切断し、谷折線１８に沿って折曲部１９を前方へ折り曲げる。
【００３６】
その後、図４（ｃ）に示すように、上記折曲部１９から切起部１５を上後方へ折り返して、切起部１５の先端両側部を係合凸部２０に係合させると、フェイスプレート２５となる切起部１５が前方へ突き出して傾斜した状態に保持される。
【００３７】
また、図５（ａ）に示すように、後方に位置する桟板７の２本の切目線１４を切断し、両側のコーナー桟部１６から切起部１５を上方へ引き起こす。
【００３８】
続いて、図５（ｂ）及び図５（ｃ）に示すように、切起部１５の切目線２２を切断して、切起部１５の山折線２１より先端側部分を、山折線２１に沿って前下方へ折り曲げると、起立片２３が上方へ突出し、係合凸部２４を、後方に位置する端壁３と折込片８の間に挟み込むと、切起部１５の折曲状態が反発に抗して保持される。
【００３９】
これにより、切起部１５の山折線２１より先端側部分及び起立片２３が広告パネル２６となって、トレイの後部で端壁３の上端から立ち上がった状態となる。
【００４０】
そして、図６に示すような形態となったトレイを、図７に示すように、最上段として段積みしたトレイに積み上げ、小売店の店頭で陳列すると、最上段のトレイの前方に位置するフェイスプレート２５と、後方に位置する広告パネル２６がＰＯＰとして優れた訴求効果を発揮し、販売促進効果が期待できる。
【００４１】
また、最上段のトレイの桟板７が切起部１５の部分で切り抜かれた状態となるので、トレイの内部から取り出そうとする商品の傷付きが防止される。
【００４２】
なお、上記実施形態では、陳列時に前方にフェイスプレート２５が形成され、後方に広告パネル２６が形成されるものを例示したが、トレイの形状や店頭での陳列態様を考慮して、そのいずれか一方のみとしてもよく、前後両方がフェイスプレート２５又は広告パネル２６となるようにしてもよい。また、ＰＯＰ機能が不要な場合には、フェイスプレート２５や広告パネル２６を形成するための構成要素を省略してもよい。
【符号の説明】
【００４３】
１  底壁
２  側壁
３  端壁
４  外側板
５  頂板
６  内側板
７  桟板
８，９  折込片
１０  差込片
１１  差込穴
１２  係止片
１３  係止穴
１４  切目線
１５  切起部
１６  コーナー桟部
１７  切目線
１８  谷折線
１９  折曲部
２０  係合凸部
２１  山折線
２２  切目線
２３  起立片
２４  係合凸部
２５  フェイスプレート
２６  広告パネル
【図１】
2018002254.tif 000003
【図２】
2018002254.tif 000004
【図３】
2018002254.tif 000005
【図４】
2018002254.tif 000006
【図５】
2018002254.tif 000007
【図６】
2018002254.tif 000008
【図７】
2018002254.tif 000009
【図８】
2018002254.tif 000010